(57)【要約】【課題】耐久性を高めるとともに、出射光の輝度ムラの発生を低減させた光源装置および該光源装置を備える表示装置を提供する。【解決手段】本発明に係る光源装置光源は、該光源から出射される光を導く導光板と、該導光板の一部を覆う反射体とを備えている。前記導光板の側面は、前記光源が対向配置される光入射面と、該光入射面に対して交差する第１側面と、該第１側面に対向する第２側面とを含んでおり、前記反射体は、少なくとも前記導光板における前記第１側面および下面を覆うように配置されており、その一端部が前記導光板の上面における前記第１側面に沿った領域で接着され、その他端部が前記導光板における前記第２側面に沿った領域で接着されていることを特徴としている。【選択図】図１
2010080365.tif 000002
【特許請求の範囲】
【請求項１】
光源と、該光源から出射される光を導く導光板と、該導光板の一部を覆う反射体と、を備える光源装置であって、
前記導光板の側面は、前記光源が対向配置される光入射面と、該光入射面に対して交差する第１側面と、該第１側面に対向する第２側面とを含んでおり、
前記反射体は、少なくとも前記導光板における前記第１側面および下面を覆うように配置されており、その一端部が前記導光板の上面における前記第１側面に沿った領域で接着され、その他端部が前記導光板における前記第２側面に沿った領域で接着されていることを特徴とする、光源装置。
【請求項２】
前記反射体の他端部は、前記導光板の上面における前記第２側面に沿った領域で接着されている、請求項１に記載の光源装置。
【請求項３】
前記導光板の上面における前記第１側面に沿った領域での接着領域と、前記導光板の前記第２側面に沿った領域での接着領域との間の前記反射体の長さは、前記光源からの離間距離が小さいほど長い、請求項１または２に記載の光源装置。
【請求項４】
前記導光板の前記光入射面に対向配置される第１放熱体を更に備える、請求項１から３のいずれかに記載の光源装置。
【請求項５】
前記反射体を介して前記導光板の下面に対向配置される第２放熱体を更に備
え、
前記第２放熱体は、前記反射体における前記導光板の下面の中央部に対応する部位に接着されている、請求項１から４のいずれかに記載の光源装置。
【請求項６】
前記光源は発光ダイオードを含んでなる、請求項１から５のいずれかに記載の光源装置。
【請求項７】
請求項１から６のいずれかに記載の光源装置と、該光源装置の上部に配置される液晶パネルと、前記光源装置および前記液晶パネルを収容する筐体とを備えることを特徴とする、表示装置。
【発明の詳細な説明】
【技術分野】
【０００１】
本発明は、光源から入射される光を、導光板を介して対象箇所まで導き、照射する光源装置および該光源装置を備える表示装置に関する。
【背景技術】
【０００２】
液晶表示装置などに採用される光源装置としては、低消費電力などの観点から、エッジライト方式のものがある（例えば、特許文献１）。
【０００３】
特許文献１のバックライト装置では、直方体状の導光板の一側面に光源が対向配置されており、この光源および導光板の下面を覆うように反射シートが配置されている。また、反射シートは、その一端部が導光板の上面における光源に沿った領域で両面テープにより接着されている。一般的に、両面テープによる反射シートと導光板と接着が行われている光源近傍では、光源のＯＮとＯＦＦとの切り替えによる温度変化が大きくなり易い。つまり、特許文献１のバックライト装置では、両面テープに対して作用する反射シートと導光板との熱膨張係数の相違に起因する応力が大きくなり易いため、光源の発光（ＯＮ）と消光（ＯＦＦ）との切り替えに対する耐久性が非常に低い。
【０００４】
一方、導光板と反射体との接着位置が光源から離れた位置で行われている光源装置としては、例えば特許文献２に開示されているものがある。
【０００５】
特許文献２の照明ユニットでは、直方体状の導光板における一対の側面に光源が対向配置されており、導光板の下面を覆うように反射シートが配置されている。また、反射シートは、その一端部および他端部が導光板の下面における光源が対向していない一対の側面に沿った領域でそれぞれ両面接着テープにより接着されている。
【特許文献１】特開２０００−３１５４１４号公報
【特許文献２】特開平８−６８９１１号公報
【発明の開示】
【発明が解決しようとする課題】
【０００６】
導光板および反射シートは、通常、光源をＯＮにすると光源の熱に起因して熱膨張するものの、光源をＯＦＦにすると導光板は収縮する。そして、この熱膨張や収縮の程度は、導光板と反射シートで異なる。そのため、特許文献２の照明ユニットでは、導光板の方が熱膨張の程度が大きい（収縮の程度が小さい）場合、両面接着テープに大きな応力が作用してしまい、反射シートの方が熱膨張の程度が大きい（収縮の程度が小さい）場合、反射シートが弛んでしまう。
【０００７】
本発明は、このような事情のもとで考え出されたものであって、温度変化に対する耐久性が高められ、且つ、出射光における輝度ムラの発生が低減された光源装置および該光源装置を備える表示装置を提供すること、を目的とする。
【課題を解決するための手段】
【０００８】
本発明に係る光源装置では、光源と、該光源から出射される光を導く導光板と、該導光板の一部を覆う反射体と、を備えるものであって、前記導光板の側面は、前記光源が対向配置される光入射面と、該光入射面に対して交差する第１側面と、該第１側面に対向する第２側面とを含んでおり、前記反射体は、少なくとも前記導光板における前記第１側面および下面を覆うように配置されており、その一端部が前記導光板の上面における前記第１側面に沿った領域で接着され、その他端部が前記導光板における前記第２側面に沿った領域で接着されていることを特徴としている。
【０００９】
本光源装置において、前記反射体の他端部は、前記導光板の上面における前記第２側面に沿った領域で接着されているのが好ましい。
【００１０】
本光源装置において、前記導光板の上面における前記第１側面に沿った領域での接着領域と、前記導光板における前記第２側面に沿った領域での接着領域との間の前記反射体の長さは、前記光源からの離間距離が小さいほど長いのが好ましい。
【００１１】
本光源装置は、前記導光板の前記光入射面に対向配置される第１放熱体を更に備えるのが好ましい。
【００１２】
本光源装置は、前記反射体を介して前記導光板の下面に対向配置される第２放熱体を更に備え、前記第２放熱体は、前記反射体における前記導光板の下面の中央部に対応する部位に接着されているのが好ましい。
【００１３】
本光源装置において、前記光源は発光ダイオードを含んでなるのが好ましい。
【００１４】
本発明に係る表示装置では、上述の光源装置と、該光源装置の上部に配置される液晶パネルと、前記光源装置および前記液晶パネルを収容する筐体とを備えることを特徴としている。
【発明の効果】
【００１５】
本発明に係る光源装置では、反射体の一端部が導光板の上面における第１側面に沿った領域で接着され、他端部が導光板の上面における第２側面に沿った領域で接着されている。つまり、本光源装置では、導光板と反射体との接着が光源から比較的離れた位置で行われているため、導光板と反射体との熱膨張係数の相違に起因して接着部分に作用する応力を低減することができる。また、本光源装置では、導光板の方が反射体より体積収縮の程度が小さい場合でも、導光板と反射体との間における体積変化量の差を反射体における下面から上面の領域にかけて導光板を覆うように配置した部分に設けたスペースで吸収することができるため、導光板と反射体との接着部分に作用する応力を低減することができる。一方、本光源装置では、反射体の方が導光板より体積収縮の程度が小さい場合でも、反射体における余剰部位を導光板の第１側面側あるいは第２側面側に逃がすことができるため、導光板と反射体との接着部分に作用する応力と、その応力により生じる導光板の下面側における反射体の弛みを低減することができる。以上のことから、本光源装置では、温度変化に対する耐久性を高めることができるのに加えて、導光体からの出射光における輝度ムラの発生を低減することができる。本発明に係る表示装置は、上述の本発明に係る光源装置を備えているため、上述の本発明に係る光源装置の有する効果を享受することができる。
【発明を実施するための最良の形態】
【００１６】
図１は、本発明の第１の実施形態に係る光源装置Ｘ１の概略構成を表す平面図である。図２（ａ）は、図１のＩＩａ−ＩＩａ線に沿った断面図であり、図２（ｂ）は、図１のＩＩｂ−ＩＩｂ線に沿った断面図である。
【００１７】
光源装置Ｘ１は、光源１０と、導光板２０と、光拡散体３０と、反射体４０と、拡散板５０と、プリズム６０と、を備えている。光源装置Ｘ１は、導光板２０を介して光源１０から出射された光を照射対象（例えば液晶表示パネル）に導くように構成されている。
【００１８】
光源１０は、導光板２０に向けて光を出射する機能を有するものである。本実施形態における光源１０は、複数（図１では６つ）の点光源（例えばＬＥＤ）を矢印ＡＢ方向に沿って配列した構成とされているが、このような構成には限られない。光源１０としては、例えばＬＥＤ（Light Emitting Diode）、ＣＦＬ（Cathode Fluorescent Lamp）、ハロゲンランプ、キセノンランプ、およびＥＬ（Electro-Luminescence）が挙げられるが、中でも低消費電力化および低ノイズ化の観点からＬＥＤが好ましい。
【００１９】
導光板２０は、光源１０から出射された光を照射対象に導く役割を担うものである。導光板２０の構成材料としては、例えばアクリル樹脂およびポリカーボネート樹脂などの透
光性を有する材料が挙げられる。ここで、透光性とは、可視光に対する透過性を意味する。
【００２０】
本実施形態における導光板２０は、上面２０ａと、下面２０ｂと、光入射面２０ｃと、第１側面２０ｄと、第２側面２０ｅと、第３側面２０ｆとを含む直方体状の構成とされているが、このような構成には限られない。上面２０ａは、主として導光板２０内の光を照射対象に向けて出射する部位である。本実施形態における上面２０ａは、平坦状とされているが、このような平面形状には限られない。下面２０ｂは、上面２０ａに対向する部位（上面２０ａとは反対側に位置する部位）であり、後述する光拡散体３０が位置している。光入射面２０ｃは、光源１０から出射される光が入射する部位であり、光源１０が対向配置されている。本実施形態における光入射面２０ｃは、導光板２０における一側面に相当するが、このような構成には限られず、二つ以上の側面に光源１０を対向配置することにより複数の光入射面を有する構成としてもよい。第１側面２０ｄは、光入射面２０ｃに対して交差する部位であり、光源１０が対向配置されていない。第２側面２０ｅは、第１側面２０ｄに対向する部位（第１側面２０ｄとは反対側に位置する部位）であり、光源１０が対向配置されていない。第３側面２０ｆは、光入射面２０ｃに対向する部位（光入射面２０ｃとは反対に位置する部位）である。
【００２１】
光拡散体３０は、導光板２０を介して入射する光を拡散する役割を担うものである。光拡散体３０は、導光板２０の光出射領域以外の部位（本実施形態においては下面２０ｂ）に位置している。本実施形態における光拡散体３０は、所定のパターンで配置される複数のドット形状体３０ａを含んで構成される。ドット形状体３０ａとしては、平面視形状が円形状の円柱状構造体を採用しているが、このような構造には限られず、平面視形状が円形状の半球状構造体や平面視形状が楕円状の楕円柱状構造体などでもよい。
【００２２】
反射体４０は、主として導光板２０の上面２０ａ以外から出射される光を導光板２０に向けて反射する役割を担うものである。反射体４０の構成材料としては、例えば、ポリエチレンテレフタラート（ＰＥＴ）系材料を延伸させてなる白色発泡体と、ＰＥＴ系材料を含んでなる基材上に銀（Ａｇ）を成膜したものと、ＰＥＴ系材料を含んでなる基材上に誘電体膜を積層形成したものとが挙げられる。
【００２３】
本実施形態における反射体４０は、導光板２０の上面２０ａにおける第１側面２０ｄに沿った領域２０ａ１と、第１側面２０ｄと、下面２０ｂと、第２側面２０ｅと、導光板２０の上面２０ａにおける第２側面２０ｅに沿った領域２０ａ２と、を覆うように配置されている。また、本実施形態における反射体４０は、その一端部が導光板２０の上面２０ａにおける第１側面２０ｄに沿った領域２０ａ１で接着され（接着領域Ｓ１）、その他端部が導光板２０の上面２０ａにおける第２側面２０ｅに沿った領域２０ａ２で接着されている（接着領域Ｓ２）。本実施形態において導光板２０と反射体４０との接着領域Ｓ１は、上面２０ａの領域２０ａ１において平面視で矢印ＣＤ方向に延びる線状とされており、接着領域Ｓ２は、上面２０ａの領域２０ａ２において矢印ＣＤ方向に延びる線状とされている。
【００２４】
拡散板５０は、導光板２０の上面２０ａから照射対象に向けて出射される光の輝度の均一性を高める役割を担うものであり、主として導光板２０の上面２０ａに対向配置されている。拡散板５０の構成材料としては、例えば、ＰＥＴなどの樹脂材料を含んでなる基材上にシリカビーズ含有樹脂を硬化させてなるシートと、ポリカーボネート（ＰＣ）などの樹脂材料中にシリカビーズを混合させてなるシートとが挙げられる。なお、図１では、図面の見易さの観点から拡散板５０が省略されている。
【００２５】
プリズム６０は、入射される光を屈折する役割を担うものであり、プリズム６０に入射した光を導光板２０の上面２０ａに対して略垂直方向となるように屈折させて出射するように構成されている。プリズム６０としては、例えば、ＰＥＴなどの樹脂材料を含んでなる基材にアクリル系材料にて形成したプリズム構造体を積層したものと、ＰＣなどの樹脂材料を含んでなる基材自体にプリズム構造を形成したものとが挙げられる。なお、図１（ａ）では、図面の見易さの観点からプリズム６０が省略されている。
【００２６】
本実施形態に係る光源装置Ｘ１では、反射体４０の一端部が導光板２０の上面２０aにおける第１側面２０ｄに沿った領域２０ａ１で接着され、他端部が導光板２０の上面２０ａにおける第２側面２０ｅに沿った領域２０ａ２で接着されている。つまり、光源装置Ｘ１では、導光板２０と反射体４０との接着が光源１０から比較的離れた位置で行われているため、導光板２０と反射体４０との熱膨張係数の相違に起因して接着部分に作用する応力を低減することができる。また、光源装置Ｘ１では、導光板２０の方が反射体４０より体積収縮の程度が小さい場合でも、導光板２０と反射体４０との間における体積変化量の差を反射体４０における下面２０ｂから上面２０ａの領域２０ａ１，２０ａ２にかけて導光板２０を覆うように配置した部分に設けたスペースで吸収することができるため、導光板２０と反射体４０との接着部分に作用する応力を低減することができる。一方、光源装置Ｘ１では、反射体４０の方が導光板２０より体積収縮の程度が小さい場合でも、反射体４０における余剰部位を導光板２０の第１側面２０ｄ側あるいは第２側面２０ｅ側に逃がすことができるため、導光板２０と反射体４０との接着部分に作用する応力と、その応力により生じる導光板２０の下面２０ｂ側における反射体４０の弛みを低減することができる。以上のことから、光源装置Ｘ１では、温度変化に対する耐久性を高めることができるのに加えて、導光体２０からの出射光における輝度ムラの発生を低減することができる。なお、光源装置Ｘ１では、上述のスペースを導光板２０の第１側面２０ｄ側および第２側面２０ｅ側の２箇所に設けることができるため、いずれか一方のみに上述のスペースを設ける場合に比べて、上述の効果をより高く得ることが可能となる。
【００２７】
図３は、本発明の第２の実施形態に係る光源装置Ｘ２の概略構成を表す図であり、（ａ）は平面図、（ｂ）は矢印Ａ方向視した側面図である。図４（ａ）は、図３のＩＶａ−ＩＶａ線に沿った断面図であり、図４（ｂ）は、図３のＩＶｂ−ＩＶｂ線に沿った断面図である。光源装置Ｘ２は、反射体４０に代えて反射体４０Ａを採用する点で光源装置Ｘ１と異なる。光源装置Ｘ２の他の構成については、光源装置Ｘ１に関して上述したのと同様である。
【００２８】
反射体４０Ａは、主として導光板２０の上面２０ａ以外から出射される光を導光板２０に向けて反射する役割を担うものである。反射体４０Ａの構成材料としては、例えば、ポリエチレンテレフタラート（ＰＥＴ）系材料を延伸させてなる白色発泡体と、ＰＥＴ系材料を含んでなる基材上に銀（Ａｇ）を成膜したものと、ＰＥＴ系材料を含んでなる基材上に誘電体膜を積層形成したものとが挙げられる。
【００２９】
反射体４０Ａは、導光板２０の上面２０ａにおける第１側面２０ｄに沿った領域２０ａ１と、第１側面２０ｄと、下面２０ｂと、第２側面２０ｅと、を覆うように配置されている。また、本実施形態における反射体４０Ａは、その一端部が導光板２０の上面２０ａにおける第１側面２０ｄに沿った領域２０ａ１で接着され（接着領域Ｓ３）、その他端部が第２側面２０ｅで接着されている（接着領域Ｓ４）。本実施形態において導光板２０と反射体４０との接着領域Ｓ３は、上面２０ａの領域２０ａ１において平面視で矢印ＣＤ方向に延びる線状とされており、接着領域Ｓ４は、第２側面２０ｅにおいて矢印ＣＤ方向に延びる線状とされている。
【００３０】
本実施形態における光源装置Ｘ２は、上述の光源装置Ｘ１と同様の効果を奏する。
【００３１】
また、光源装置Ｘ２では、導光板２０の上面２０ａにおいて反射体４０Ａで覆われる領域を小さくすることができるため、照射対象に光を出射する面積をより広く確保することができる。
【００３２】
図５は、本発明の第３の実施形態に係る光源装置Ｘ３の概略構成を表す図であり、（ａ）は平面図、（ｂ）は背面図である。図６（ａ）は、図５のＶＩａ−ＶＩａ線に沿った断面図であり、図６（ｂ）は、図５のＶＩｂ−ＶＩｂ線に沿った断面図である。光源装置Ｘ３は、反射体４０に代えて反射体４０Ｂを採用する点で光源装置Ｘ１と異なる。光源装置Ｘ３の他の構成については、光源装置Ｘ１に関して上述したのと同様である。
【００３３】
反射体４０Ｂは、主として導光板２０の上面２０ａ以外から出射される光を導光板２０に向けて反射する役割を担うものであり、第１反射片４０Ｂ１および第２反射片４０Ｂ２を含んでなる。反射体４０Ｂの構成材料としては、例えば、ポリエチレンテレフタラート（ＰＥＴ）系材料を延伸させてなる白色発泡体と、ＰＥＴ系材料を含んでなる基材上に銀（Ａｇ）を成膜したものと、ＰＥＴ系材料を含んでなる基材上に誘電体膜を積層形成したものとが挙げられる。
【００３４】
第１反射片４０Ｂ１は、導光板２０の上面２０ａにおける第１側面２０ｄに沿った領域２０ａ１と、第１側面２０ｄと、下面２０ｂと、を覆うように配置されている。本実施形態における第１反射片４０Ｂ１は、その一端部が導光板２０の上面２０ａにおける第１側面２０ｄに沿った領域２０ａ１で接着され、その他端部が導光板２０の下面２０ｂにおける第２側面２０ｅに沿った領域２０ｂ１で接着されている。また、第２反射片４０Ｂ２は、第２側面２０ｅを覆うように配置されている。本実施形態における第２反射片４０Ｂ２は、第２側面２０ｅで接着されている。本実施形態において導光板２０と第１反射片４０Ｂ１との接着領域Ｓ５は、上面２０ａの領域２０ａ１において平面視で矢印ＣＤ方向に延びる線状とされており、接着領域Ｓ６は、下面２０ｂの領域２０ｂ１において矢印ＣＤ方向に延びる線状とされている。
【００３５】
本実施形態における光源装置Ｘ３は、上述の光源装置Ｘ１と同様の効果を奏する。
【００３６】
また、光源装置Ｘ３では、導光板２０の上面２０ａにおいて反射体４０Ｂで覆われる領域を小さくすることができるため、照射対象に光を出射する面積をより広く確保することができる。
【００３７】
図７は、本発明に係る光源装置Ｘ１を備える表示装置Ｙの概略構成を表す断面図である。表示装置Ｙは、光源装置Ｘ１と、液晶表示パネル７０と、筐体８０とを備えている。なお、表示装置Ｙについては、光源装置Ｘ１を採用して説明するが、光源装置Ｘ２，Ｘ３を採用しても同様である。
【００３８】
図８は、表示装置Ｙの液晶表示パネル７０の概略構成を表す斜視図である。図９は、図８に示す液晶表示パネル７０の要部拡大断面図である。
【００３９】
液晶表示パネル７０は、液晶層７１と、第１基体７２と、第２基体７３と、封止部材７４とを備えており、第１基体７２と第２基体７３との間に液晶層７１を介在させ、該液晶層７１を封止部材７４により封止することにより、画像を表示するための複数の画素を含んでなる表示領域Ｐが構成されている。
【００４０】
液晶層７１は、電気的、光学的、力学的、あるいは磁気的な異方性を示し、固体の規則性と液体の流動性を併せ持つ液晶を含んでなる層である。この液晶としては、ネマティック液晶、コレステリック液晶、およびスメクティック液晶などが挙げられる。なお、液晶層７１には、該液晶層７１の厚さを一定に保つべく、例えば多数の粒子状部材により構成されるスペーサ（図示せず）を介在させてもよい。
【００４１】
第１基体７２は、透明基体７２１と、遮光膜７２２と、カラーフィルタ７２３と、平坦化膜７２４と、透明電極７２５と、配向膜７２６とを備えている。
【００４２】
透明基体７２１は、遮光膜７２２およびカラーフィルタ７２３を支持するとともに、液晶層７１を封止する役割を担うものであり、その主面に対して交差する方向（例えば矢印ＥＦ方向）に光を適切に透過することが可能な構成とされている。透明基体７２１の構成材料としては、ガラスおよび透光性プラスチックなどが挙げられる。
【００４３】
遮光膜７２２は、光を遮る（光の透過量を所定値以下にする）役割を担う部材であり、透明基体７２１の上面に形成されている。また、遮光膜７２２は、光を通過させるために、膜厚方向（矢印ＥＦ方向）に貫通する貫通孔７２２ａを有している。遮光膜７２２の構成材料としては、例えば、遮光性の高い色（例えば黒色）の染料あるいは顔料、カーボンが添加された樹脂（例えばアクリル系樹脂）と、クロム（Ｃｒ）と、酸化Ｃｒとが挙げられる。
【００４４】
カラーフィルタ７２３は、該カラーフィルタ７２３に入射した光のうち所定の波長を選択的に吸収し、所定の波長のみを選択的に透過させるための部材、例えばアクリル系樹脂に染料あるいは顔料を添加させることにより構成される。カラーフィルタ７２３としては、例えば赤色可視光の波長を選択的に透過させる赤色カラーフィルタ（Ｒ）と、緑色可視光の波長を選択的に透過させる緑色カラーフィルタ（Ｇ）と、青色可視光の波長を選択的に透過させる青色カラーフィルタ（Ｂ）とが挙げられる。
【００４５】
平坦化膜７２４は、カラーフィルタ７２３などを配置することにより生じる凹凸を平坦化する役割を担うものである。平坦化膜７２４の構成材料としては、例えばアクリル系樹脂などの透明樹脂が挙げられる。
【００４６】
透明電極７２５は、後述の第２基体７３の透明電極７３２との間に位置する液晶層７１の液晶に所定の電圧を印加する役割を担うものであり、一方側から入射した光を他方側に透過するように構成されている。また、透明電極７２５は、所定の信号（画像信号）を伝搬する役割を担うものであり、主として矢印ＣＤ方向に延びるように複数配列されている。透明電極７２５の構成材料としては、ＩＴＯ（Indium Tin Oxide）および酸化錫などの透光性を有する導電部材が挙げられる。ここで、透光性とは、可視光に対する透過性を意味する。
【００４７】
配向膜７２６は、マクロ的にランダムな方向を向く（規則性が小さい）液晶層７１の液晶分子を所定方向に配向させる役割を担うものであり、透明電極７２５上に形成されている。配向膜７２６の構成材料としては、ポリイミド樹脂などが挙げられる。
【００４８】
第２基体７３は、透明基体７３１と、透明電極７３２と、配向膜７３３とを備えている。
【００４９】
透明基体７３１は、透明電極７３２および配向膜７３３を支持するとともに、液晶層７１を封止する役割を担うものであり、その主面に対して交差する方向（例えば矢印ＥＦ方向）に光を適切に透過することが可能な構成とされている。透明基体７３１の構成材料としては、透明絶縁基体７２１の構成材料と同様のものが挙げられる。
【００５０】
透明電極７３２は、第１基体７２の透明電極７２５との間に位置する液晶層７１の液晶に所定の電圧を印加する役割を担うものであり、一方側から入射した光を他方側に透過するように構成されている。また、透明電極７３２は、液晶層７１への電圧印加状態（ＯＮ）もしくは電圧非印加状態（ＯＦＦ）を制御する信号（走査信号）を伝搬する役割を担うものであり、主として図８における紙面垂直方向に延びるように複数配列されている。透明電極７３２の構成材料としては、透明電極７２５の構成材料と同様のものが挙げられる。
【００５１】
配向膜７３３は、マクロ的にランダムな方向を向く（規則性が小さい）液晶層７１の液晶分子を所定方向に配向させる役割を担うものであり、透明電極７３２上に形成されている。配向膜７３３の構成材料としては、配向膜７２６の構成材料と同様のものが挙げられる。
【００５２】
封止部材７４は、第１基体７２と第２基体７３との間に液晶層７１を封止するとともに、第１基体７２と第２基体７３とを所定間隔で離間した状態で接合する役割を担うものである。封止部材７４としては、絶縁性樹脂およびシール樹脂などが挙げられる。
【００５３】
光源装置Ｘ１は、導光板２０から液晶表示パネル７０の第１基体７２に向けて光を出射するように配置されている。
【００５４】
筐体８０は、液晶表示パネル７０および光源装置Ｘ１を収容するものであり、上側筐体８１および下側筐体８２を含んで構成される。筐体８０の構成材料としては、例えば、ポリカーボネート樹脂などの樹脂と、ステンレス（ＳＵＳ）あるいはアルミニウムなどの金属とが挙げられる。
【００５５】
本実施形態に係る表示装置Ｙは、光源装置Ｘ１を備えているため、上述の光源装置Ｘ１の有する効果と同様の効果を享受することができる。すなわち、表示装置Ｙでは、温度変化に対する耐久性を高めることができるのに加えて、導光体２０からの出射光における輝度ムラの発生を低減することができる。
【００５６】
以上、本発明の具体的な実施形態を示したが、本発明はこれに限定されるものではなく、発明の思想から逸脱しない範囲内で種々の変更が可能である。
【００５７】
光源装置Ｘ１，Ｘ２，Ｘ３では、導光板２０の一側面が光入射面２０ｃとされているが、このような構成には限られず、例えば導光板２０の第３側面２０ｆに光源１０を対向配置することにより該第３側面２０ｆも光入射面として機能させてもよい。また、図１０に示すように、平面視四角形状の導光板２０に代えて平面視六角形状の導光板２０Ａを採用する場合、第４側面２０ｇにも光源１０を対向配置することにより該第４側面２０ｇも光入射面として機能させてもよい。
【００５８】
光源装置Ｘ１，Ｘ２，Ｘ３では、導光板２０の下面２０ｂに光拡散体３０を配置しているが、導光板２０から照射対象に向けて光を取り出すことが可能にする構造であれば、このような構造には限定されない。例えば、導光板２０の下面２０ｂ自体に所定形状の溝（凹凸）を形成した構造としてもよいし、下面２０ｂを上面２０ａに対して傾斜させる構造と  してもよい。
【００５９】
光源装置Ｘ１，Ｘ２，Ｘ３では、導光板２０の第３側面２０ｆを覆う反射体を更に備えていてもよい。このような構成によると、導光体２０内の光をより効率的に上面２０ａの所定領域から出射させることが可能となる。
【００６０】
光源装置Ｘ１では、接着領域Ｓ１と接着領域Ｓ２との間における反射体４０の長さＬが光源１０からの離間距離Ｔにかかわらず、略一定となるように設定されているが、これに代えて、図１１に示すように、離間距離Ｔが小さいほど反射体４０の長さＬが長くなるように設定するのが好ましい。ここで、反射体４０の長さＬは、離間距離Ｔが同じ部位における接着領域Ｓ１と接着領域Ｓ２との間の反射体４０の長さであり、図１１における長さＬ１，Ｌ２，Ｌ３，Ｌ４，Ｌ５の総和で表される。このような構成によると、光源１０からの熱に起因する温度変化が相対的に大きくなる離間距離Ｔが小さい領域ほど熱膨張や収縮の影響を吸収するスペースを確保することが可能となる。なお、光源装置Ｘ２，Ｘ３においても同様の構成とすることにより、同様の効果を奏する。
【００６１】
光源装置Ｘ１，Ｘ２，Ｘ３では、各接着領域Ｓ１，Ｓ２，Ｓ３，Ｓ４，Ｓ５，Ｓ６がいずれも一直線状の構成とされているが、このような構成には限られず、例えば破線状の構成としてもよい。また、光源装置Ｘ１，Ｘ２，Ｘ３では、矢印ＣＤ方向における矢印Ｃ方向側端部から矢印Ｄ方向側端部にかけて構成されているが、このような構成には限られず、例えば矢印ＣＤ方向における中央部のみの構成とされてもよい。このような構成によると、反射体４０，４０Ａ，４０Ｂの平坦性をより高めることが可能となる。
【００６２】
光源装置Ｘ１、Ｘ２、Ｘ３では、反射体４０、４０Ａ、４０Ｂは、光源１０及び導光板２０の上面２０ａにおける光入射面２０ｃに沿った領域を覆わない。そのため、図１２に示すように、導光板２０の光入射面２０ｃに対向配置される第１放熱体９１を備える構成を採用しやすく、熱による反射体４０および導光板２０に与える影響を低減できる。
【００６３】
光源装置Ｘ１、Ｘ２、Ｘ３では、反射体４０，４０Ａ，４０Ｂを介して導光板２０の下面２０ｂに対向配置される第２放熱体９２を備える構成としてもよい。このような構成によると、導光板２０および反射体４０，４０Ａ，４０Ｂの熱膨張などに作用する熱を低減することが可能となる。また、第２放熱体９２は、反射体４０，４０Ａ，４０Ｂにおける導光板２０の下面２０ｂの中央部に対応する部位に接着されるのが好ましい。このような構成によると、反射体４０，４０Ａ，４０Ｂの平坦性をより高めることが可能となる。
【００６４】
第１放熱体９１および第２放熱体９２を構成する材料としては、アルミニウム、アルミニウム合金、銅等の金属類、又はこれらに熱伝導性の高い銀あるいは金メッキを施したものなどがある。
【図面の簡単な説明】
【００６５】
【図１】本発明の第１の実施形態に係る光源装置の概略構成を表す平面図である。
【図２】図１に示す光源装置の概略構成を表す断面図であり、（ａ）は図１のＩＩａ−ＩＩａ線に沿った断面図、（ｂ）は図１のＩＩｂ−ＩＩｂ線に沿った断面図である。
【図３】本発明の第２の実施形態に係る光源装置の概略構成を表す図であり、（ａ）は平面図、（ｂ）は（ａ）の矢印Ａ方向視した側面図である。
【図４】図３（ａ）に示す光源装置の概略構成を表す断面図であり、（ａ）は図３（ａ）のＩＶａ−ＩＶａ線に沿った断面図、（ｂ）は図３（ａ）のＩＶｂ−ＩＶｂ線に沿った断面図である。
【図５】本発明の第３の実施形態に係る光源装置の概略構成を表す図であり、（ａ）は平面図、（ｂ）は（ａ）の背面図である。
【図６】図５に示す光源装置の概略構成を表す断面図であり、（ａ）は、図５（ａ）のＶＩａ−ＶＩａ線に沿った断面図、（ｂ）は、図５（ａ）のＶＩｂ−ＶＩｂ線に沿った断面図である。
【図７】本発明に係る光源装置Ｘ１を備える表示装置Ｙの概略構成を表す断面図である。
【図８】図７に示す表示装置Ｙにおける液晶表示パネル７０の概略構成を表す斜視図である。
【図９】図８に示す表示装置における液晶表示パネルの概略構成を表す要部拡大断面図である。
【図１０】本発明の第１の実施形態に係る光源装置の第１変形例の概略構成を表す図である。
【図１１】本発明の第１の実施形態に係る光源装置の第２変形例の概略構成を表す図であり、（ａ）は平面図、（ｂ）は（ａ）のＶＩｂ−ＶＩｂ線に沿った断面図である。
【図１２】本発明の第１の実施形態に係る光源装置の第３変形例の概略構成を表す断面図である。
【符号の説明】
【００６６】
Ｘ１，Ｘ２，Ｘ３    光源装置
Ｙ    表示装置
１０    光源
２０    導光板
３０    光拡散体
４０    反射体
５０    拡散板
６０    プリズム
７０    液晶表示パネル
８０    筐体
【図１】
2010080365.tif 000003
【図２】
2010080365.tif 000004
【図３】
2010080365.tif 000005
【図４】
2010080365.tif 000006
【図５】
2010080365.tif 000007
【図６】
2010080365.tif 000008
【図７】
2010080365.tif 000009
【図８】
2010080365.tif 000010
【図９】
2010080365.tif 000011
【図１０】
2010080365.tif 000012
【図１１】
2010080365.tif 000013
【図１２】
2010080365.tif 000014